(57)【要約】【課題】円形側面部に不要な突出部分が形成されない連続ポケットコイルバネ列を提供する。【解決手段】通気性を有する帯状シート材１によりポケット状に形成された連続円筒形袋１０の１袋に１個のコイルバネ２を収納して列状に形成された連続ポケットコイルバネ列であって、円筒形袋１０は、帯状シート材１を幅方向の両側から折り畳んで形成される空間にコイルバネ２が収容される構造とし、長手方向に沿って所定ピッチで幅方向に沿って溶着すると共に、帯状シート材１を折り畳んだ長手方向端部同士を溶着して形成され、長手方向の端部同士は、幅方向の一方側から折り畳んだ第１長手方向端部１ａと、他方側から折り畳んだ第２長手方向端部１ｂ同志を、上下平面的に重ねた状態で溶着され、かつ、その溶着位置が幅方向の中央部に位置し、隣接する円筒形袋の間に幅方向溶着部１１が形成され、円筒形袋１０の円形側面部１０１に、幅方向溶着部１１に近接する位置に凹部１３が形成されている。【選択図】図１
2018202034.tif 000002
【特許請求の範囲】
【請求項１】
通気性を有する帯状シート材によりポケット状に形成された連続円筒形袋の１袋に１個のコイルバネを収納して列状に形成された連続ポケットコイルバネ列であって、
前記連続円筒形袋は、前記帯状シート材を幅方向の両側から折り畳んで形成される空間にコイルバネが収容される構造とし、前記帯状シート材の長手方向に沿って所定ピッチで前記幅方向に沿って溶着すると共に、前記帯状シート材を折り畳んだ長手方向端部同士を溶着して形成され、
前記長手方向の端部同士は、前記幅方向の一方側から折り畳んだ第１長手方向端部と、前記幅方向の他方側から折り畳んだ第２長手方向端部同志とを、上下平面的に重ねた状態で溶着され、かつ、その溶着位置が前記幅方向の中央部に位置しており、
隣接する円筒形袋の間に幅方向溶着部が形成されており、
円筒形袋のコイルバネの両端部が面する円形側面部において、前記幅方向溶着部に近接する位置に凹部が形成されていることを特徴とする連続ポケットコイルバネ列。
【請求項２】
通気性を有する帯状シート材によりポケット状に形成された連続円筒形袋の１袋に１個のコイルバネを収納して列状に形成された連続ポケットコイルバネ列の製造方法であって、
前記帯状シート材を幅方向の両側から折り畳んでコイルバネを収容する空間を形成する工程と、
前記空間にコイルバネを順次収容していく工程と、
前記帯状シート材を折り畳んだ長手方向端部同士を溶着して工程と、
前記コイルバネを収容した後に、帯状シート材の長手方向に沿って所定ピッチで前記幅方向に沿って溶着する工程と、を有し、
前記長手方向の端部同士は、前記幅方向の一方側から折り畳んだ第１長手方向端部と、前記幅方向の他方側から折り畳んだ第２長手方向端部同志とを、上下平面的に重ねた状態で溶着するものであり、
隣接する円筒形袋の間に幅方向溶着部を形成する工程と、
円筒形袋のコイルバネの両端部が面する円形側面部において、前記幅方向溶着部に近接する位置に凹部を形成する工程と、を有することを特徴とする連続ポケットコイルバネ列の製造方法。
【発明の詳細な説明】
【技術分野】
【０００１】
本発明は、椅子やソファー等の家具やベットマットレス等の寝具に内装されて使用される連続ポケットコイルバネ列及びその製造方法に関するものである。
【背景技術】
【０００２】
かかる連続ポケットコイルバネ列およびその製造方法については、下記特許文献１に開示される技術が公知である。この文献に開示される連続ポケットコイルバネ列は、図８に示すように、通気性を有する帯状シート材によりポケット状に形成された連続円筒形袋１０の１袋に１個のコイルバネ２を収納して列状に形成した構成を有している。そして、連続ポケットコイルバネ列の幅方向（ｙで示す）の中央部において、幅方向の一方側から折り畳んだ第１長手方向端部１ａと、幅方向の他方側から折り畳んだ第２長手方向端部１ｂ同志とを、上下平面的に重ねた状態で溶着させている。平面的に重ねることで、外形（コイルバネ２の側面部）に不要な突出部分を形成しないようにしている。
【０００３】
一方、隣接する円筒形袋の間に長手方向（ｘで示す）に直交する幅方向溶着部１１が形成されており、円筒形袋１０のコイルバネ２の両端部２ａが面する円形側面部１０１，１０２においては、重ね合わせる部分がないために、この円形側面部１０１，１０２には、重ね合わせに起因する突出部分が形成されることはない。
【先行技術文献】
【特許文献】
【０００４】
【特許文献１】特開２０１６−２０２６６６号公報
【発明の概要】
【発明が解決しようとする課題】
【０００５】
しかしながら、図８にも示すように、実際には円形側面部１０１，１０２には別の原因により不要な突出部分１０５が形成される。連続して円筒形袋１０を形成するためには、隣接する円筒形袋１０の間に幅方向に沿って溶着する必要がある。この溶着は、帯状シート材を圧着することにより行われるが、この圧着工程の結果、円筒形袋１０の円形側面部１０１，１０２の幅方向圧着部１１に近接した部分に、円形側面部１０１，１０２よりも突出する突出部分１０５が形成されていた。
【０００６】
このような円形側面部１０１，１０２における突出部分１０５の存在は、ソファーやマットレスの形成時に不快な凹凸になる可能性がある。
【０００７】
本発明は上記実情に鑑みてなされたものであり、円形側面部に不要な突出部分が形成されない連続ポケットコイルバネ列およびその製造方法を提供することである。
【課題を解決するための手段】
【０００８】
上記課題を解決するため本発明に係る連続ポケットコイルバネ列は、
通気性を有する帯状シート材によりポケット状に形成された連続円筒形袋の１袋に１個のコイルバネを収納して列状に形成された連続ポケットコイルバネ列であって、
前記連続円筒形袋は、前記帯状シート材を幅方向の両側から折り畳んで形成される空間にコイルバネが収容される構造とし、前記帯状シート材の長手方向に沿って所定ピッチで前記幅方向に沿って溶着すると共に、前記帯状シート材を折り畳んだ長手方向端部同士を溶着して形成され、
前記長手方向の端部同士は、前記幅方向の一方側から折り畳んだ第１長手方向端部と、前記幅方向の他方側から折り畳んだ第２長手方向端部同志とを、上下平面的に重ねた状態で溶着され、かつ、その溶着位置が前記幅方向の中央部に位置しており、
隣接する円筒形袋の間に幅方向溶着部が形成されており、
円筒形袋のコイルバネの両端部が面する円形側面部において、前記幅方向溶着部に近接する位置に凹部が形成されていることを特徴とするものである。
【０００９】
かかる構成による連続ポケットコイルバネ列の作用・効果は以下の通りである。まず、連続円筒形袋は、帯状シート材を幅方向の両側から折り畳んで形成される空間にコイルバネが収容される構造とする。帯状シート材の長手方向に沿って所定ピッチで幅方向に沿って溶着する。この溶着により、コイルバネが収容される空間が区画されることになる。また、帯状シート材を折り畳んだ長手方向端部同士を溶着するに際して、幅方向の一方側から折り畳んだ第１長手方向端部と、幅方向の他方側から折り畳んだ第２長手方向端部同志とを、上下平面的に重ねた状態で溶着される。平面的に重ねることで外形（コイルバネの側面部）に不要な突出部分を形成しないようにすることができる。
【００１０】
また、コイルバネの両端部が面する円形側面部において、前記幅方向溶着部に近接する位置に凹部が形成されている。この幅方向溶着部に近接する位置は、突出部分が形成されやすい箇所であり、この部分に凹部を形成するようにする。これにより、円形側面部に不要な突出部が形成されない連続ポケットコイルバネ列を提供することができる。
【００１１】
上記課題を解決するため本発明に係る連続ポケットコイルバネ列の製造方法は、
通気性を有する帯状シート材によりポケット状に形成された連続円筒形袋の１袋に１個のコイルバネを収納して列状に形成された連続ポケットコイルバネ列の製造方法であって、
前記帯状シート材を幅方向の両側から折り畳んでコイルバネを収容する空間を形成する工程と、
前記空間にコイルバネを順次収容していく工程と、
前記帯状シート材を折り畳んだ長手方向端部同士を溶着して工程と、
前記コイルバネを収容した後に、帯状シート材の長手方向に沿って所定ピッチで前記幅方向に沿って溶着する工程と、を有し、
前記長手方向の端部同士は、前記幅方向の一方側から折り畳んだ第１長手方向端部と、前記幅方向の他方側から折り畳んだ第２長手方向端部同志とを、上下平面的に重ねた状態で溶着するものであり、
隣接する円筒形袋の間に幅方向溶着部が形成する工程と、
円筒形袋のコイルバネの両端部が面する円形側面部において、前記幅方向溶着部に近接する位置に凹部を形成する工程と、を有することを特徴とするものである。
【００１２】
かかる構成による連続ポケットコイルバネ列の製造方法は、帯状シート材を幅方向の両側から折り畳むことで、コイルバネが収容される空間を形成するが、幅方向の一方側から折り畳んだ第１長手方向端部と、前記幅方向の他方側から折り畳んだ第２長手方向端部同志とを、上下平面的に重ねた状態で溶着するようにしている。平面的に重ねることで外形（コイルバネの側面部）に不要な突出部分を形成しないようにすることができる。
【００１３】
また、コイルバネの両端部が面する円形側面部において、前記幅方向溶着部に近接する位置に凹部を形成する。この幅方向溶着部に近接する位置は、突出部分が形成されやすい箇所であり、この部分に凹部を形成するようにする。これにより、円形側面部に不要な突出部が形成されない連続ポケットコイルバネ列の製造方法を提供することができる。
【００１４】
なお、製造工程の順序は、上記の記載順序に限定されるものではなく、必要に応じて変更できる。
【図面の簡単な説明】
【００１５】
【図１】連続ポケットコイルバネ列の外観を示す斜視図
【図２Ａ】図１の連続ポケットコイルバネ列の長手方向に沿った断面図
【図２Ｂ】図１の連続ポケットコイルバネ列の長手方向に沿った側面図
【図３】図１の連続ポケットコイルバネ列の幅方向に沿った断面図
【図４】連続ポケットコイルバネ列製造装置の構成を概念的に示す斜視図
【図５】図４に示す製造装置の矢視Ａ
【図６Ａ】製造工程を概念的に示す斜視図である。
【図６Ｂ】製造工程を概念的に示す斜視図である。
【図６Ｃ】製造工程を概念的に示す斜視図である。
【図６Ｄ】製造工程を概念的に示す斜視図である。
【図７Ａ】製造工程を示す断面図
【図７Ｂ】製造工程を示す断面図
【図７Ｃ】円筒形袋の幅方向に沿った断面図
【図７Ｄ】円筒形袋の長手方向に沿った断面図
【図８】先行技術に係る連続ポケットコイルバネ列を示す平面図
【発明を実施するための形態】
【００１６】
本発明に係る連続ポケットコイルバネ列及びその製造装置（方法）の好適な実施形態を図面を用いて説明する。
【００１７】
＜連続ポケットコイルバネ列の構成＞
図１は、製造された連続ポケットコイルバネ列の外観を示す斜視図である。図２Ａは、図１の連続ポケットコイルバネ列の長手方向に沿った断面図を示す図である。図２Ｂは、図１の連続ポケットコイルバネ列の長手方向に沿った側面図を示す図である。図３は、図１の連続ポケットコイルバネ列の幅方向に沿った断面図を示す図である。
【００１８】
連続ポケットコイルバネ列においてコイルバネを収容するために帯状シート材１を使用する。帯状シート材１は、例えば、通気性の良い不織布が用いられる。不織布の種類としては、特定のものに限定されるものではない。図１、図２Ａ、図２Ｂに示すように、コイルバネ２が１つ収容されるポケット状の円筒形袋１０が長手方向に沿って連続的に形成されている。長手方向において隣接する円筒形袋１０の境界は溶着領域１１（幅方向溶着部に相当）であり、後述するヒートシール機器により溶着される。溶着領域１１は、幅方向に沿って直線状に形成され、その幅寸法については特に限定されるものではない。また、溶着領域１１は、長手方向に沿って２カ所（以上）に形成してもよい。すなわち、隣接する円筒形袋１０の間に複数の溶着領域（幅方向溶着部）１１が形成されていてもよい。
【００１９】
図３に示すように円筒形袋１０は、断面で見ると、底面部１００、左側面部１０１（円形側面部）、右側面部１０２（円形側面部）、左上面部１０３、右上面部１０４により構成され、左上面部１０３の右端側が第１長手方向端部１ａであり、右上面部１０４の左端側が第２長手方向端部１ｂである。もともとは平面的な帯状シート材１を折り畳むことにより図３に示すような断面形状が得られる。断面形状は、ほぼ四辺形である。また、左側面部１０１と右側面部１０２は、長手方向に沿った断面形状あるいは、側面から見た形状は円形（ほぼ円形のものも含む）である。
【００２０】
図１あるいは図２Ｂに示すように、左側面部１０１の両側であって、溶着領域１１に近い側に凹部１３が形成されている。図示はしないが右側面部１０２にも同様に形成されている。凹部１３は、１つの側面部に２カ所形成される。凹部１３は、図２Ｂに示すように、コイルバネ２の外形の外側（コイルバネ２と溶着領域１１の間）に形成される。凹部１３の形状、大きさや深さは特定のものに限定されるものではない。凹部１３は、例えば、三日月状に形成され、深さは、数ｍｍ~１ｃｍ程度である。
【００２１】
凹部１３が形成される位置は、本来は、突出部分が形成されるが、これは、溶着領域１１を形成する工程において帯状シート材１を圧縮するときに形成されるものである。この突出部分を円筒形袋１０の中に押し込むようにすることで凹部１３が形成される。凹部１３を形成する工程は後述する。
【００２２】
なお、便宜上、上記の名称を付けているが、実際に使用される場合の姿勢とは関係がない。例えば、製品においては、左側面部１０１や右側面部１０２が上になることもある。また、コイルバネ２は、収容された状態で、所定量圧縮された状態で収容される。また、四辺形の形状についても正方形状、長方形状等、また縦横比についても特定の形状や大きさに限定されるものではない。
【００２３】
図３において、帯状シート材１の幅方向の左側（一方側に相当）を折り畳むと共に、幅方向の右側（他方側に相当）を折り畳んだ形態であり、左右とも２カ所で折られている。第１長手方向端部１ａと第２長手方向端部１ｂは、図３に示すように、上下方向に重ねた状態であり、この重なり部１２が溶着される。重なり領域１２の幅方向の長さは適宜設定することができる。重なり領域１２の高さ（平面的な位置）は、左上面部１０３、右上面部１０４と同じかほぼ同じであるので、上方に突出しない。
【００２４】
＜連続ポケットコイルバネ列製造装置＞
次に、図１〜図３に示す連続ポケットコイルバネ列を製造するための製造装置を図４、図５により説明する。なお、これらの図において帯状シート材は描かれていない。図４は、装置の主要な構成を示す斜視図である。図５は、図４の矢視Ａである。
【００２５】
内側整形部として機能する第１内側整形プレート３０と第２内側整形プレート３１が設けられている。図５にも示すように、左側の第１内側整形プレート３１は断面がＣ字状であり、右側の第２内側整形プレートは断面が逆Ｃ字状である。これら第１・第２内側整形プレート３０，３１は左右対称的に配置されている。なお、内側整形部として第１・第２内側整形プレートのように複数部材で構成するのではなく、単一のプレート部材で構成してもよい。部材の構成数には限定されるものではない。また、プレート以外の形状の部材で構成してもよい。
【００２６】
第１内側整形プレート３０の表面には第１外側整形プレート３２（第１外側整形部に相当）が配置され、第２内側整形プレート３１の表面には第２外側整形プレート３３（第２外側整形部に相当）が配置される。これら第１・第２外側整形プレート３２，３３は、逆Ｌ字形の断面形状を有している。図５において、内側整形部の断面形状は、ほぼ四辺形（正方形又は長方形）になるように構成される。なお四辺形の角は９０度であるが、適当な大きさの丸み（Ｒ形状）を帯びていてもよい。
【００２７】
また、第１外側整形プレート３２と第２外側整形プレート３３は、幅方向の中央部に重なり部３４を有している。第１外側整形プレート３２と第１内側整形プレート３０の間には側面隙間ｇ１と上面隙間ｇ３が形成される。側面隙間ｇ１と上面隙間ｇ３は直交しており、これにより、帯状シート材は強制的に折り畳まれた状態でこれらの隙間の間を通過する。第２外側整形プレート３３と第２内側整形プレート３１の間には側面隙間ｇ２が形成され、この隙間を帯状シート材１が通過する。重なり部３４において、第１外側整形プレート３２と第２外側整形プレート３３の間に隙間ｇ４が形成され、この間を帯状シート材１が通過する。
【００２８】
内側整形部の内側には、さらにバネガイド筒４０が設けられる。バネガイド筒４０は、断面形状がほぼ矩形であり、側方からバネ挿入筒４２を介してコイルバネ２が挿入される。コイルバネ２は不図示のバネ製造装置で製造され、１つずつバネガイド筒４０内に押し込まれていく。バネガイド筒４０の右側面にバネ送り筒４２が設けられており、このバネ送り筒４２を介して、コイルバネ２が１つずつ送り込まれる。コイルバネ２は圧縮された状態でバネガイド筒４０内に１つずつ押し込まれていく。押し込まれたコイルバネ２は、バネ送り部材４１により１つずつ前方へ送られていく。
【００２９】
第１外側整形プレート３２は、側面部に傾斜端部３２ａを有し、上面部にも傾斜端部３２ｂを有する。同様に第２外側整形プレート３３も、傾斜端部３３ａ，３３ｂを有する。左右の第１・第２内側整形プレート３０，３１は、上面側において隙間をもって配置されている。この隙間から、バネガイド筒４０の上面部が露出する形になっている。バネガイド筒４０の下流側の先端は、内側整形部の下流側の先端と同じ位置になるように配置される。
【００３０】
重なり部３４の下流側に、第１ヒートシール機器（溶着手段に相当）の第１圧着部５０が設けられている。第１圧着部５０に対応して第１圧着受け部５１が設けられている。第１圧着受け部５１は、バネガイド筒４０の上面に設けられており、第１圧着部５０と第１圧着受け部５１により帯状シート材１を挟持して加熱することで溶着するようにしている。第１ヒートシール機器は、帯状シート材１が搬送される長手方向に沿った溶着を行うものである。
【００３１】
内側整形部及び外側整形部の下流側に第２ヒートシール機器を構成する第２圧着部５２と第２圧着受け部５３が設けられている。この第２ヒートシール機器は、帯状シート材１を幅方向に沿って溶着するものであり、これにより、コイルバネ２が１つ収容される円筒形袋が形成される。第２圧着部５２と第２圧着受け部５３で帯状シート材１を挟持して溶着する点は、第１ヒートシール機器と同じであるが、この第２ヒートシール機器は帯状シート材１を挟持した状態で下流側へ所定量移動する機能も有する。これにより、帯状シート材１を所定ピッチで間欠的に搬送することができる。
【００３２】
第２ヒートシール機器の下流側には、幅方向の両側にノズル６０とノズル６１が配置されている。ノズル６０は、左側面部１０１の凹部１３を形成するために設けられており、２つ設けることで、凹部１３を同時に２カ所形成する。ノズル６１は、右側面部１０２に凹部を形成するために設けられ、ノズル６０と同じように配置される。ノズル６０，６１は、左右の側面部１０１，１０２に向けて空気を吹き付けることで、突出部分を押し込み凹部１３を形成させるものである。
【００３３】
なお、ノズル６０，６１と第２ヒートシール機器（第２圧着部５２および第２圧着受け部５３）は、共通の支持体（不図示）に取り付け支持されている。
【００３４】
＜製造工程＞
つぎに、図４、図５による製造装置を用いて、図１〜図３に示す連続ポケットコイルバネ列を製造する工程について説明する。図６Ａ〜図６Ｄは、製造工程を概念的に示す斜視図である。図７Ａ〜図７Ｃは、製造工程を示す断面図である。
【００３５】
図６Ａは、実際に帯状シート材１をロール１Ｒから引き出して、コイルバネ２を収容していく工程を示している。内側整形部と外側整形部の間の隙間に帯状シート材１を通過させた状態が図７Ａの断面図に示される。
【００３６】
図７Ａにおいて、帯状シート材１は幅方向の両側から折り畳まれるが、左側の側面隙間ｇ１に帯状シート材１の左側面部１０１が位置し、上面隙間ｇ３に左上面部１０３が位置する。このように帯状シート材１は、幅方向の左側（一方側）から折り畳まれる。右側の側面隙間ｇ２に帯状シート材１の右側面部１０２が位置し、重なり部３４における隙間ｇ４に右上面部１０４が位置する。この状態では、第１長手方向端部１ａと第２長手方向端部１ｂの間には第１外側整形プレート３２が位置する。また、第１・第２長手方向端部１ａ，１ｂは、上下方向に重なった状態に整形されている。このように、帯状シート材１は、幅方向の右側（他方側）から折り畳まれる。
【００３７】
コイルバネ２はバネガイド筒４０内に圧縮された状態で収容される。バネガイド筒４０内に収容されているが、まだ帯状シート材内に直接収容されていない。図６Ａに示すように、コイルバネ２がバネガイド筒２内に押し込まれるのとほぼ同じタイミングで第１圧着部５０が下方に移動して、第１・第２長手方向端部１ａ，１ｂを挟持して圧着する。この状態を図７Ｂに示す。
【００３８】
図７Ｂは、重なり部３４の下流側における断面図である。この位置には、第１・第２外側整形プレート３２，３３、すなわち、重なり部３４が存在しない。従って、第１圧着部５０と第１圧着受け部５１により、第１・第２長手方向端部１ａ，１ｂを圧着し溶融する。これにより、帯状シート材１の長手方向の所定長さを溶着することができる。所定長さは、第１圧着部５０の長手方向に沿った長さで決まる。所定長さが適宜設定することができる。
【００３９】
図６Ｂに示すように、第１圧着部５０による圧着溶融が終わると、第１圧着部５０は上方に移動する。そのタイミングに合わせて、バネ送り部材４１が前方に移動して、バネガイド筒４０内のコイルバネ２が１つだけ押し出される。すなわち、バネガイド筒４０の先端から押し出されると同時に、第１・第２内側整形プレート３０，３１の先端からも押し出される形になる。これにより、圧縮されていたコイルバネ２は、その復元力により、帯状シート材１内の幅方向に伸びた状態に収容される。
【００４０】
図７Ｃは、内側整形部およびバネガイド筒４０から押し出されたコイルバネ２が帯状シート材１の内部に収容された状態を示す断面図である。また、この時点では、すでに重なり領域１２は溶着されているので、コイルバネ２の復元力にもかかわらず、帯状シート材１の断面形状は維持される。重なり領域１２において、第１長手方向端部１ａと第２長手方向端部１ｂは水平状態で上下に重なっているので、突出した部分が形成されない。
【００４１】
コイルバネ２が１つ押し出されると、第２圧着部５２が下方に移動して、隣接して収容されているコイルバネ２とコイルバネ２の間を第２圧着部５２と第２圧着受け部５３により挟持・圧着する。これにより、コイルバネ２とコイルバネ２の間の部分、すなわち、帯状シート材１の幅方向に沿って加熱溶着される。これにより、円筒形袋１０が形成される。すなわち、完全に閉じた空間である円筒形袋１０が形成され、その内部空間に１つのコイルバネ２が収容される。また、隣接する円筒形袋１０と円筒形袋１０の間に溶着領域１１が形成される。
【００４２】
第２圧着部５２が下方に移動して、第２圧着部５２と第２圧着受け部５３とにより帯状シート材１を挟持した状態で搬送方向下流側（長手方向前方：ｘ方向）に移動する。この移動距離はコイルバネ２の配列ピッチと同じである。これにより、帯状シート材１の全体が上記ピッチ分だけ下流側に移動させられる（図６Ｃ参照）。
【００４３】
帯状シート材１を挟持した状態で搬送方向下流側に移動するときに、第２圧着部５２と第２圧着受け部５３とノズル６０，６１は共通の支持体に支持されているので、ノズル６０，６１も一緒に移動する。この移動時にノズル６０，６１からエアーを円筒形袋１０の右側面部１０１及び左側面部１０２に吹き付ける。これにより、右側面部１０１及び左側面部１０２に形成された突出部分を押し込み、凹部１３および凹部１４を形成させる。
【００４４】
所定ピッチ移動した後、第２圧着部５２が上方に移動し、搬送方向の逆方向（ｘ’方向）に移動する（図６Ｄ参照）。ノズル６０，６１も同時に一体的に移動する。以後は、再び図６Ａに戻り同じ動作を繰り返す。
【００４５】
図７Ｄは、凹部１３及び凹部１４が形成された後の長手方向に沿った水平断面図である。
【００４６】
＜別実施形態＞
本実施形態では、ノズルを用いて凹部１３，１４を形成しているが、ノズル以外の手段、例えば、機械的に部材を左側面部１０１、右側面部１０２から押し込むことで凹部１３，１４を形成するようにしてもよい。
【００４７】
本実施形態では、ノズル６０，６１を第２圧着部５２と第２圧着受け部５３のすぐ下流側に配置しているが、配置はこの場所に限定されるものではなく、より下流側に配置するようにしてもよい。また、ノズル６０，６１は第２圧着部５２及び第２圧着受け部５３と共通の支持体に設置するようにしているが、別々の支持体に設置するようにしてもよい。
【００４８】
本実施形態では、重なり部３４の構成に関して、第２外側整形プレート３３が第１外側整形プレート３２の上に位置しているが、上下関係についてはどちらが上になってもよい。
【００４９】
内側整形部と外側整形部を構成する部材はプレート状に形成されているが、部材の材質、加工方法、形状については、本実施形態に限定されるものではない。
【００５０】
第１・第２長手方向端部１ａ，１ｂを重ねて溶着する領域は、幅方向の中央部であるが、これは厳密に中央（１／２）を意味するものではなく、ある程度の幅を有するものである。厳密な中央位置からずれていてもよい。溶着する面積、数、等についても適宜決めることができる。
【符号の説明】
【００５１】
１        帯状シート材
１ａ      第１長手方向端部
１ｂ      第２長手方向端部
１０      円筒形袋
１１      溶着領域（幅方向溶着部）
１２      重なり領域
１３      凹部
１４      凹部
２        コイルバネ
３０      第１内側整形プレート（内側整形部）
３１      第２内側整形プレート（内側整形部）
３２      第１外側整形プレート（第１外側整形部）
３３      第２外側整形プレート（第２外側整形部）
３４      重なり部
５０      第１圧着部
５１      第１圧着受け部
６０      ノズル
６１      ノズル
１０１    左側面部（円形側面部）
１０２    右側面部（円形側面部）
【図１】
2018202034.tif 000003
【図２Ａ】
2018202034.tif 000004
【図２Ｂ】
2018202034.tif 000005
【図３】
2018202034.tif 000006
【図４】
2018202034.tif 000007
【図５】
2018202034.tif 000008
【図６Ａ】
2018202034.tif 000009
【図６Ｂ】
2018202034.tif 000010
【図６Ｃ】
2018202034.tif 000011
【図６Ｄ】
2018202034.tif 000012
【図７Ａ】
2018202034.tif 000013
【図７Ｂ】
2018202034.tif 000014
【図７Ｃ】
2018202034.tif 000015
【図７Ｄ】
2018202034.tif 000016
【図８】
2018202034.tif 000017
【手続補正書】
【提出日】平成29年11月20日(2017.11.20)
【手続補正１】
【補正対象書類名】特許請求の範囲
【補正対象項目名】請求項２
【補正方法】変更
【補正の内容】
【請求項２】
通気性を有する帯状シート材によりポケット状に形成された連続円筒形袋の１袋に１個のコイルバネを収納して列状に形成された連続ポケットコイルバネ列の製造方法であって、
前記帯状シート材を幅方向の両側から折り畳んでコイルバネを収容する空間を形成する工程と、
前記空間にコイルバネを順次収容していく工程と、
前記帯状シート材を折り畳んだ長手方向端部同士を溶着して工程と、
前記コイルバネを収容した後に、帯状シート材の長手方向に沿って所定ピッチで前記幅方向に沿って溶着して、隣接する円筒形袋の間に幅方向溶着部を形成する工程と、を有し、
前記長手方向の端部同士は、前記幅方向の一方側から折り畳んだ第１長手方向端部と、前記幅方向の他方側から折り畳んだ第２長手方向端部同志とを、上下平面的に重ねた状態で溶着するものであり、
円筒形袋のコイルバネの両端部が面する円形側面部において、前記幅方向溶着部に近接する位置に凹部を形成する工程を有することを特徴とする連続ポケットコイルバネ列の製造方法。